(57)【要約】【課題】撮像システムが２つの位相差方式の焦点検出機能を有する場合に、より好適な位相差方式の焦点検出をおこなう。【解決手段】撮像システム１は、撮像装置２とマウントアダプタ１０とレンズ７を備える。撮像システム１は、撮像素子上にあって位相差方式の焦点検出をおこなうＩＭＧ−ＡＦ検出部２４と、マウントアダプタ１０にあって位相差方式の焦点検出をおこなうＭＡ−ＡＦ検出部３２を備える。撮像システム１は、マウントアダプタ１０が備える薄膜ミラーにより分割した入射光から、ＩＭＧ−ＡＦ検出部２４と、ＭＡ−ＡＦ検出部３２とで焦点検出をおこなう。カメラ制御部１００は、所定条件にしたがい、ＩＭＧ−ＡＦ検出部２４による焦点検出とＭＡ−ＡＦ検出部３２による焦点検出の切り替えをおこなう。【選択図】図２
2012137600.tif 000002
【特許請求の範囲】
【請求項１】
撮像装置と、前記撮像装置と交換レンズとの間のフランジバックを調節するマウントアダプタを備える撮像システムであって、
前記マウントアダプタは、
第１の位相差焦点検出信号を出力可能な位相差焦点検出部と、
前記交換レンズからの入射光を前記撮像装置の入射光と前記位相差焦点検出部の入射光とに分割する光学装置と、を備え、
前記撮像装置は、
第２の位相差焦点検出信号を出力可能な撮像素子と、
所定条件の成立にもとづいて前記第１の位相差焦点検出信号または前記第２の位相差焦点検出信号のいずれかを選択して、焦点調節をおこなう制御部と、
を備える撮像システム。
【請求項２】
前記制御部は、前記マウントアダプタの装着を検出した場合に、前記第１の位相差焦点検出信号または前記第２の位相差焦点検出信号のいずれかを選択する請求項１記載の撮像システム。
【請求項３】
前記制御部は、前記位相差焦点検出部を検出した場合に、前記第１の位相差焦点検出信号または前記第２の位相差焦点検出信号のいずれかを選択する請求項１記載の撮像システム。
【請求項４】
前記制御部は、前記第２の位相差焦点検出信号の選択可能条件が成立しない場合に、前記第１の位相差焦点検出信号を選択する請求項１乃至請求項３記載の撮像システム。
【請求項５】
前記制御部は、前記第２の位相差焦点検出信号の選択が禁止されている場合に、前記第１の位相差焦点検出信号を選択する請求項１乃至請求項３記載の撮像システム。
【請求項６】
前記制御部は、前記第１の位相差焦点検出信号の選択可能条件が成立しない場合に、前記第２の位相差焦点検出信号を選択する請求項１乃至請求項３記載の撮像システム。
【請求項７】
前記制御部は、前記第１の位相差焦点検出信号の選択が禁止されている場合に、前記第２の位相差焦点検出信号を選択する請求項１乃至請求項３記載の撮像システム。
【請求項８】
前記撮像装置または前記マウントアダプタは、前記第１の位相差焦点検出信号または前記第２の位相差焦点検出信号のいずれかを選択する操作を受け付ける選択部を備え、
前記制御部は、前記操作にもとづいて前記第１の位相差焦点検出信号または前記第２の位相差焦点検出信号のいずれかを選択する請求項１乃至請求項７記載の撮像システム。
【請求項９】
前記撮像装置は、測距ポイントを選択する測距ポイント選択部を備え、
前記制御部は、前記第１の位相差焦点検出信号が前記測距ポイントに対応しない場合に、前記第２の位相差焦点検出信号を選択する請求項１乃至請求項７記載の撮像システム。
【請求項１０】
前記制御部は、前記第１の位相差焦点検出信号と前記第２の位相差焦点検出信号とが前記測距ポイントに対応する場合に、焦点検出条件に応じて前記第１の位相差焦点検出信号または前記第２の位相差焦点検出信号のいずれかを選択する請求項９記載の撮像システム。
【請求項１１】
前記制御部は、前記第１の位相差焦点検出信号の測距ポイントと、前記第２の位相差焦点検出信号の測距ポイントとを対応付けした対応情報を記憶する記憶部を備え、
前記制御部は、前記対応情報にもとづいて前記第１の位相差焦点検出信号と前記第２の位相差焦点検出信号の測距ポイントとの対応を判定する請求項９または請求項１０記載の撮像システム。
【請求項１２】
前記対応情報は、前記測距ポイント選択部が操作者に提示する選択肢と、前記第１の位相差焦点検出信号の測距ポイントと、前記第２の位相差焦点検出信号の測距ポイントとを対応付けしていることを特徴とする請求項１１記載の撮像システム。
【請求項１３】
前記制御部は、前記第１の位相差焦点検出信号または前記第２の位相差焦点検出信号のいずれかを選択するか決定した後、複数ある測距ポイントからいずれかの測距ポイントを選択して焦点検出をおこなう請求項１乃至請求項１２記載の撮像システム。
【請求項１４】
第１の位相差焦点検出信号を出力可能な位相差焦点検出部と、
第２の位相差焦点検出信号を出力可能な撮像素子と、
交換レンズからの入射光を前記撮像素子の入射光と前記位相差焦点検出部の入射光とに分割する光学装置と、
所定条件の成立にもとづいて前記第１の位相差焦点検出信号または前記第２の位相差焦点検出信号のいずれかを選択して、焦点調節をおこなう制御部と、
を備える撮像装置。
【請求項１５】
コンピュータを請求項１４に記載の撮像装置として機能させるためのプログラム。
【発明の詳細な説明】
【技術分野】
【０００１】
本発明は、撮像システム、撮像装置、およびプログラムに関する。
【背景技術】
【０００２】
近年、デジタル一眼レフカメラは、急速な普及をはたしたが、ボディサイズの一層の小型軽量化の要求に応えることができていない。これは、一眼レフデジタルカメラが撮影用光路とファインダ用光路を切り替えるレフレックスミラーや、被写体像をファインダ（ＯＶＦ：Optical View Finder）に案内するペンタプリズムをカメラボディ内に収めるためにやむを得ないとされる。
【０００３】
そこで、ＯＶＦに代えて電子ビューファインダ（ＥＶＦ：Electronic ViewFinder）を備えることで、レフレックスミラーを排除して小型軽量化を図ったミラーレスと呼ばれるデジタル一眼カメラ（ミラーレスデジタル一眼カメラ）が登場している。
【０００４】
しかしながら、ミラーレスデジタル一眼カメラは、レフレックスミラーと同時に、焦点検出部に入射光を案内するサブミラーを排除したことで、カメラ本体による位相差検出方式の焦点検出がおこなえなくなった。
【０００５】
また、ミラーレスデジタル一眼カメラは、デジタル一眼レフカメラに比較してフランジバックが短縮されたため、デジタル一眼レフカメラに装着可能だった交換レンズをそのままでは使用できない。そこで、従来の交換レンズ資産を有効に活用するため、ミラーレスデジタル一眼カメラは、マウントアダプタを介することで、デジタル一眼レフカメラ用の交換レンズを装着可能としている。
【０００６】
そして、位相差検出方式に対応した交換レンズを装着可能とするために、このマウントアダプタに位相差検出方式の焦点検出部を備える撮像装置の提案がある（たとえば、特許文献１参照）。
【０００７】
さらに、ミラーレスデジタル一眼カメラのカメラ本体においても、より高速な焦点検出をおこなうために、撮像素子に位相差検出素子を配置する提案がある（たとえば、特許文献２参照）。
【先行技術文献】
【特許文献】
【０００８】
【特許文献１】国際公開第２００８／０９９６０５号公報
【特許文献２】特許第３５９２１４７号公報
【発明の概要】
【発明が解決しようとする課題】
【０００９】
提案されている位相差検出素子を配置した撮像素子を備えるミラーレスデジタル一眼カメラは、従来の交換レンズ資産を活用するためにマウントアダプタが装着される場合がある。
【００１０】
しかしながら、カメラ本体が備える撮像素子とマウントアダプタが備える焦点検出部とで同じ位相差方式の焦点検出をおこなう場合の、適当な自動焦点検出方法についての提案はない。
【００１１】
本発明は、このような点に鑑みてなされたものであり、２つの位相差方式の焦点検出機能を有する場合に、より好適な位相差方式の焦点検出をおこなうことができる撮像システム、撮像装置、およびプログラムの提供を目的とする。
【課題を解決するための手段】
【００１２】
上記課題を解決するために、撮像システムは、撮像装置と、撮像装置と交換レンズとの間のフランジバックを調節するマウントアダプタを備える。
【００１３】
マウントアダプタは、位相差焦点検出部と、光学装置と、を備える。位相差焦点検出部は、第１の位相差焦点検出信号を出力可能である。光学装置は、交換レンズからの入射光を撮像装置の入射光と位相差焦点検出部の入射光とに分割する。
【００１４】
撮像装置は、撮像素子と、制御部と、を備える。撮像素子は、第２の位相差焦点検出信号を出力可能である。制御部は、所定条件の成立にもとづいて第１の位相差焦点検出信号または第２の位相差焦点検出信号のいずれかを選択して、焦点調節をおこなう。
【００１５】
また、上記課題を解決するために、撮像装置は、位相差焦点検出部と、撮像素子と、光学装置と、制御部と、を備える。位相差焦点検出部は、第１の位相差焦点検出信号を出力可能である。撮像素子は、第２の位相差焦点検出信号を出力可能である。光学装置は、交換レンズからの入射光を撮像素子の入射光と位相差焦点検出部の入射光とに分割する。制御部は、所定条件の成立にもとづいて第１の位相差焦点検出信号または第２の位相差焦点検出信号のいずれかを選択して、焦点調節をおこなう。
【発明の効果】
【００１６】
上記の撮像システム、および撮像装置によれば、２つの位相差方式の焦点検出機能を有する場合に、より好適な位相差方式の焦点検出をおこなうことができる。
【図面の簡単な説明】
【００１７】
【図１】第１の実施形態の撮像システムの構成例を示す図である。
【図２】第１の実施形態の撮像システムのブロック構成例を示す図である。
【図３】第１の実施形態のカメラ制御部のブロック構成例を示す図である。
【図４】第１の実施形態のＡＦエリアの配置例を示す図である。
【図５】第１の実施形態のＡＦエリア対応テーブルを示す図である。
【図６】第１の実施形態の焦点調節処理のフローチャートである。
【図７】第２の実施形態の焦点調節処理のフローチャートである。
【図８】第３の実施形態の焦点調節処理のフローチャートである。
【図９】第４の実施形態のＡＦエリア対応テーブルを示す図である。
【図１０】第５の実施形態の撮像システムの構成例を示す図である。
【発明を実施するための形態】
【００１８】
以下、本発明の実施の形態を図面を参照して詳細に説明する。
【００１９】
［第１の実施形態］
まず、第１の実施形態の撮像システムの全体構成について図１を用いて説明する。図１は、第１の実施形態の撮像システムの構成例を示す図である。
【００２０】
撮像システム１は、撮像装置（カメラボディ）２と、マウントアダプタ１０と、レンズ（交換レンズ）７を備える。撮像装置２は、デジタル一眼レフカメラよりフランジバックを短縮して小型軽量化を図ったミラーレスデジタル一眼カメラのカメラボディである。レンズ７は、デジタル一眼レフカメラ用の交換レンズであり、フランジバックが異なるので撮像装置２に直接装着することができない。また、レンズ７は、撮像装置２とインタフェースが異なるために装着できない場合もある。
【００２１】
マウントアダプタ１０は、撮像装置２とレンズ７の間に装着される。マウントアダプタ１０は、ミラーレスデジタル一眼カメラとデジタル一眼レフカメラとで異なるフランジバックを調整する。ミラーレスデジタル一眼カメラのフランジバックは、デジタル一眼レフカメラのフランジバックより短いため、マウントアダプタ１０の装着によりレンズ７に対応したフランジバックに調整される。
【００２２】
撮像装置２は、シャッタ３、背面ＬＣＤ（Liquid Crystal Display）４、撮像素子５、マウント６、その他に図示しない制御装置やバッテリ、レリーズボタン等の各種操作部、各種センサなどを備える。
【００２３】
撮像素子５は、複数の光電変換セルを配列し、光学像を電気信号に変換する。光電変換セルは、撮像信号を出力する撮像用光電変換セルと、測距信号を出力する測距信号用光電変換セルとがある。撮像用光電変換セルは、撮像範囲に一様に配置される。測距信号用光電変換セルは、あらかじめ設定される測距ポイントに対応して配置される。
【００２４】
撮像素子５は、撮像用光電変換セルにより、シャッタ３を通過した光を検出して、被写体の撮像のほか、背面ＬＣＤ４をＥＶＦとして機能させるための撮像信号（画像）出力をおこなう。また、撮像素子５は、測距信号用光電変換セルにより、被写体の焦点検出をおこない、測距情報などの焦点調節に用いる焦点検出情報を出力する。なお、撮像素子５は、撮像用光電変換セルにより、コントラスト方式の焦点検出をおこなうことも可能である。
【００２５】
マウント６は、撮像装置２をミラーレスデジタル一眼カメラに対応したレンズに装着するための接合部である。マウント６は、レンズを保持するための接合部形状を有するほか、焦点検出情報（たとえば、測距情報など）や絞り値の情報など各種情報を、撮像装置２とレンズ間で入出力するための接点を有する。
【００２６】
マウントアダプタ１０は、マウント１１、マウント１２、ＡＦセンサユニット１３、薄膜ミラー（ペリクルミラー）１４、鏡胴１５、その他に図示しない制御装置や、表示部、各種操作部などを備える。なお、マウントアダプタ１０は、撮像装置２側の開口およびレンズ７側の開口に、図示しない光透過性の蓋部（たとえば、保護ガラスやフィルタ等）を設けてもよい。蓋部は、内部への塵や埃の進入防止のほか、ＡＦセンサユニット１３、薄膜ミラー１４を外力による損傷から保護する。
【００２７】
マウント１１は、マウントアダプタ１０を撮像装置２に装着するための接合部である。マウント１１は、撮像装置２に保持されるための接合部形状を有するほか、焦点検出情報や絞り値の情報など各種情報を、撮像装置２とマウントアダプタ１０で入出力するための接点を有する。マウント１２は、デジタル一眼レフカメラに対応したレンズ７をマウントアダプタ１０に装着するための接合部である。マウント１２は、レンズ７を保持するための接合部形状を有するほか、焦点検出情報や絞り値の情報など各種情報を、撮像装置２とレンズ７間で入出力するための接点を有する。
【００２８】
ＡＦセンサユニット（焦点検出部）１３は、コンデンサレンズ、ＩＲ（InfraRed）カットフィルタ、絞りマスク、セパレータレンズ等の光学部材を含んで構成され、被写体から導かれた光をＡＦセンサに入射させて位相差方式の焦点検出をおこなう。ＡＦセンサユニット１３は、たとえば、測距情報などの焦点調節に用いる焦点検出情報を出力する。なお、ＡＦセンサユニット１３は、デジタル一眼レフカメラのフランジバックに対応するＡＦセンサバックとなる位置に設けられる。
【００２９】
薄膜ミラー１４は、被写体側（レンズ７側）から入射する光Ｌ１を、撮像素子５に入射する光Ｌ２と、ＡＦセンサユニット１３に入射する光Ｌ３とに分割する光学装置である。薄膜ミラー１４は、固定式の半透過型の薄膜ミラーであって、たとえば、入射する光Ｌ１の約７０％を撮像素子５に入射する光Ｌ２に、入射する光Ｌ１の約３０％をＡＦセンサユニット１３に入射する光Ｌ３に分割する。薄膜ミラー１４が入射光を分割することにより、撮像装置２は、ＡＦセンサユニット１３による焦点検出と、撮像素子５による焦点検出とを、同一の被写体について同時におこなうことができる。
【００３０】
鏡胴１５は、略円筒状であり、内部にＡＦセンサユニット１３、薄膜ミラー１４を有する。鏡胴１５の鏡胴長は、撮像装置２とレンズ７の間に装着されたときに、レンズ７のマウント面から撮像素子５までの距離をレンズ７に対応したフランジバックとする長さである。鏡胴１５は、鏡胴内の薄膜ミラー１４の折り返し光路にＡＦセンサユニット１３を配置する。
【００３１】
このように、マウントアダプタ１０は、フランジバックを調整することで、デジタル一眼レフカメラに対応するレンズ７をミラーレスデジタル一眼カメラである撮像装置２に装着することを可能としている。
【００３２】
レンズ７は、デジタル一眼レフカメラに対応する交換レンズである。レンズ７は、マウント８を備えるほか、レンズを駆動する駆動機構、絞りを調節する絞り調節機構、機構部を制御するための制御部などを備える。
【００３３】
マウント８は、レンズ７を対応するデジタル一眼レフカメラに装着するための接合部である。マウント８は、デジタル一眼レフカメラに保持されるための接合部形状を有するほか、焦点検出情報や絞り値の情報など各種情報を、レンズ７とデジタル一眼レフカメラで入出力するための接点を有する。また、マウント８は、レンズ７をマウントアダプタ１０に装着するための接合部ともなる。マウント８は、デジタル一眼レフカメラと同様にマウントアダプタ１０とも、焦点検出情報や絞り値の情報など各種情報を入出力可能である。なお、レンズ７とマウントアダプタ１０との情報の入出力は、互いの制御部が直接におこなうようにしてもよいし、撮像装置２の制御部を介しておこなうようにしてもよい。
【００３４】
このように、撮像システム１は、ＡＦセンサユニット１３による位相差方式の焦点検出と、撮像素子５による位相差方式の焦点検出とをおこなうことができる。
【００３５】
次に、第１の実施形態の撮像システム１のブロック構成について図２を用いて説明する。図２は、第１の実施形態の撮像システムのブロック構成例を示す図である。
【００３６】
撮像装置２は、カメラ制御部１００、駆動部２１、表示部２２、撮像部２３、ＩＭＧ−ＡＦ検出部２４、操作入力部２５、および記憶部２６を備える。
【００３７】
駆動部２１は、撮像装置２が備えるアクチュエータ（ソレノイド、モータ等）を駆動する。たとえば、駆動部２１は、シャッタ３を駆動する。表示部２２は、撮像装置２が備える表示装置に表示をおこなう。たとえば、表示部２２は、背面ＬＣＤ４にＥＶＦとしての画像表示をおこなうほか、撮像した画像の再生表示、各種操作のユーザインタフェース表示をおこなう。
【００３８】
撮像部２３は、撮像素子５により被写体を撮像する。ＩＭＧ−ＡＦ検出部（撮像素子上位相差検出部）２４は、撮像素子５を用いて位相差方式による焦点検出をおこなう。操作入力部２５は、レリーズボタン、その他の操作スイッチなどであって、ＡＦ操作、シャッタ操作、表示切り替えなど撮像システム１の有する機能の選択、実行操作を受け付ける。
【００３９】
記憶部２６は、撮像素子５の測距ポイントと、ＡＦセンサユニット１３の測距ポイントとの対応関係（対応情報）を記憶する。記憶部２６は、電源遮断時にも調整情報を保持するために、たとえば、フラッシュメモリ、ＥＥＰＲＯＭ（Electrically Erasable Programmable ROM）などの不揮発性の記憶媒体で構成される。
【００４０】
カメラ制御部１００は、撮像装置２を統括的に制御するとともに、ＩＭＧ−ＡＦ検出部２４による焦点検出と、マウントアダプタ１０が備えるＭＡ−ＡＦ検出部３２による焦点検出とをおこなうことができる。カメラ制御部１００は、ＩＭＧ−ＡＦ検出部２４による焦点検出の有効化／無効化の切り替え、ＭＡ−ＡＦ検出部３２による焦点検出の有効化／無効化の切り替えをおこなう。また、カメラ制御部１００は、所定条件にしたがい、ＩＭＧ−ＡＦ検出部２４による焦点検出とＭＡ−ＡＦ検出部３２による焦点検出の切り替えをおこなう。
【００４１】
マウントアダプタ１０は、マウントアダプタ制御部３０と、表示部３１、ＭＡ−ＡＦ検出部３２、操作入力部３３、記憶部３４、ＡＦ機構部３５を備える。マウントアダプタ制御部３０は、マウントアダプタ１０を統括的に制御するとともに、撮像装置２のカメラ制御部１００との間で各種情報を入出力する。また、マウントアダプタ制御部３０は、レンズ７のレンズ制御部４０との間で各種情報を入出力する。マウントアダプタ制御部３０は、カメラ制御部１００とレンズ制御部４０間で各種情報を相互に伝達する場合の中継機能を有する。
【００４２】
表示部３１は、ＭＡ−ＡＦ検出部３２の焦点検出状態の報知表示をおこなう。たとえば、表示部３１は、ＬＥＤ（Light Emitting Diode：発光ダイオード）であって、ＭＡ−ＡＦ検出部３２の焦点検出状態を、ジャストピント、前ピン、後ピンとして点灯態様（色、点灯周期など）で案内表示する。
【００４３】
ＭＡ−ＡＦ検出部３２（位相差焦点検出部）は、ＡＦセンサユニット１３を用いて位相差方式による焦点検出をおこなう。操作入力部３３は、ＡＦ操作ボタン、その他の操作スイッチなどであって、ＡＦ操作、表示切り替えなどマウントアダプタ１０の有する機能の選択、実行操作を受け付ける。
【００４４】
記憶部３４は、マウントアダプタ１０を識別する識別情報、ＡＦセンサユニット１３の識別情報、ＡＦセンサユニット１３の焦点検出用情報（たとえば、測距ポイントなど）を記憶する。記憶部３４は、電源遮断時にも調整情報を保持するために、たとえば、フラッシュメモリ、ＥＥＰＲＯＭなどの不揮発性の記憶媒体で構成される。
【００４５】
ＡＦ機構部３５は、モータなどのアクチュエータであって、マウントアダプタ制御部３０によって駆動量が制御される。ＡＦ機構部３５は、レンズ７のレンズ駆動部４１と機械的に接続して駆動力を伝達（駆動力伝達部３６）し、レンズ７のレンズを駆動して焦点調節をおこなう。このとき、マウントアダプタ制御部３０は、ＭＡ−ＡＦ検出部３２またはＩＭＧ−ＡＦ検出部２４が検出した焦点情報にもとづいて駆動量を算出する。
【００４６】
レンズ７は、レンズ制御部４０と、レンズ駆動部４１を備える。レンズ制御部４０は、レンズ７を統括的に制御するとともに、マウントアダプタ１０のマウントアダプタ制御部３０との間で各種情報を入出力する。また、レンズ制御部４０は、レンズ７が図示しない絞り調節機構部、情報表示部などを備える場合に、これらを制御する。また、レンズ７は、レンズ駆動部４１を駆動する駆動部を備えるようにしてもよく、その場合、レンズ制御部４０は、マウントアダプタ制御部３０から駆動量の指示を受けて、駆動部を駆動する。
【００４７】
このようにして、撮像システム１は、ＭＡ−ＡＦ検出部３２またはＩＭＧ−ＡＦ検出部２４が検出した焦点情報にもとづいて、より好適な位相差方式の焦点検出をおこなうことができる。
【００４８】
次に、第１の実施形態のカメラ制御部のハードウェア構成について図３を用いて説明する。図３は、第１の実施形態のカメラ制御部のブロック構成例を示す図である。
【００４９】
カメラ制御部１００は、ＣＰＵ（Central Processing Unit）１０１によって撮像装置２を統括的に制御する。また、カメラ制御部１００は、ＣＰＵ１０１によってマウントアダプタ制御部３０、レンズ制御部４０を介して、撮像システム１を統括的に制御する。ＣＰＵ１０１には、バス１０７を介してＲＡＭ（Random Access Memory）１０２、ＲＯＭ（Read Only Memory）１０３、通信インタフェース１０４、グラフィック処理装置１０５、および入出力インタフェース１０６が接続されている。
【００５０】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＲＯＭ１０３には、ＯＳやアプリケーションプログラムが格納される。また、ＲＯＭ１０３には、対応情報が格納される。
【００５１】
グラフィック処理装置１０５には、背面ＬＣＤ４が接続される。入出力インタフェース１０６には、各種入出力装置が接続される。各種入出力装置は、入出力インタフェース１０６、バス１０７を介してＣＰＵ１０１と情報の入出力をおこなう。通信インタフェース１０４は、他のコンピュータ（たとえば、マウントアダプタ制御部３０、レンズ制御部４０）との間でデータの送受信をおこなう。
【００５２】
以上のようなハードウェア構成によって、本実施の形態の処理機能を実現することができる。
【００５３】
なお、カメラ制御部１００は、それぞれＦＰＧＡ（Field Programmable Gate Array）やＤＳＰ（Digital Signal Processer）などからなるモジュールを含んで構成することもでき、ＣＰＵ１０１を有しない構成とすることもできる。その場合、カメラ制御部１００は、それぞれ不揮発性メモリ（たとえば、ＥＥＰＲＯＭ、フラッシュメモリ、フラッシュメモリ型メモリカードなど）を備え、モジュールのファームウェアを記憶する。不揮発性メモリは、入出力インタフェース１０６と接続する可搬型記録媒体、あるいは通信インタフェース１０４を介してファームウェアを書き込むことができる。このようにカメラ制御部１００は、不揮発性メモリに記憶されているファームウェアを書き換えることにより、ファームウェアの更新をすることもできる。
【００５４】
なお、マウントアダプタ制御部３０、レンズ制御部４０は、カメラ制御部１００と同様の構成とすることができる。
【００５５】
次に、第１の実施形態のＡＦセンサと撮像素子５のそれぞれのＡＦエリア（測距ポイント）について図４を用いて説明する。図４は、第１の実施形態のＡＦエリアの配置例を示す図である。
【００５６】
ＡＦセンサ５０は、ＡＦセンサユニット１３に備えられる。ＡＦセンサユニット１３は、被写体から導かれた光から不要な光束を視野マスクにより除去し、コンデンサレンズ、ＩＲカットフィルタ、絞りマスク、セパレータレンズを透過した後、ＡＦセンサ５０を照射する。このように、ＡＦセンサ５０は、精度よく焦点を検出するための光学系を備えるため、低輝度性能に強く、ピントが大きくずれている場合の高速な焦点検出に有利である。また、ＡＦセンサ５０は、絞りマスクにより高精度な焦点検出をおこなうことができる。その反面、焦点検出をおこなうＡＦエリア５１は、配置される数、位置が制限されたものとなり、撮像エリア全体をカバーするものではない（図４（ａ）参照）。
【００５７】
撮像素子５は、撮像範囲に一様にＡＦエリア５２を配置する（図４（ｂ）参照）。ＡＦエリア５２は、配置される数、位置の自由度が高い。また、ＡＦエリア５２（測距信号用光電変換セル）は、撮像素子（撮像用光電変換セル）と同一面にあるため、焦点検出精度が高い。その反面、測距信号を出力する測距信号用光電変換セルと撮像用光電変換セルとで光学系を共用するため、ＡＦエリア５２での焦点検出は、低輝度性能、高速な焦点検出において、ＡＦセンサ５０よりも不利である。
【００５８】
重ね合わせイメージ５３は、ＡＦエリア５１とＡＦエリア５２を撮像範囲に重ね合わせたイメージである。ＡＦエリア５２は、ＡＦエリア５１と比較して、撮像範囲の全域にわたり多数を配置可能である。ＡＦエリア５１とＡＦエリア５２は、一部において共通エリア５５を有し、その余において非共通エリア５４を有する（図４（ｃ）参照）。
【００５９】
次に、第１の実施形態の記憶部２６が記憶するＡＦエリア対応テーブルについて図５を用いて説明する。図５は、第１の実施形態のＡＦエリア対応テーブルを示す図である。
【００６０】
記憶部２６は、ＡＦエリア対応テーブル６０を記憶する。ＡＦエリア対応テーブル６０は、ＡＦセンサユニット１３のＡＦエリア（ＡＦセンサＡＦエリア）５１と、撮像素子５のＡＦエリア（イメージセンサＡＦエリア）５２との対応関係を表す。たとえば、ＡＦセンサユニット１３のＡＦエリア５１の１つであるＭＡ１は、撮像素子５のＡＦエリア５２のうちＩＭＧ１４と対応関係にある。ここで、ＡＦエリア５１とＡＦエリア５２が対応関係にあるとは、被写体の同一エリアについて焦点検出をおこなうことをいう。
【００６１】
なお、ＡＦエリア対応テーブル６０は、すべてのＡＦエリア５１のそれぞれについて、０、または１以上のＡＦエリア５２との対応関係を表す。一般に、ＡＦエリア５１の数は、ＡＦエリア５２の数より少ないため、カメラ制御部１００は、ＡＦエリア５１を基準にして対応関係の判定を容易におこなうことができる。
【００６２】
次に、カメラ制御部１００が実行する焦点調節処理について図６を用いて説明する。図６は、第１の実施形態の焦点調節処理のフローチャートである。カメラ制御部１００は、撮影時に焦点調節処理を実行する。
【００６３】
［ステップＳ１１］カメラ制御部１００は、ＭＡ−ＡＦ（ＭＡ−ＡＦ検出部３２）を選択可能か否か判定をおこなう。ＭＡ−ＡＦを選択可能か否かの判定は、マウントアダプタ１０の装着によって検出することができる。このとき、カメラ制御部１００は、マウントアダプタ制御部３０からマウントアダプタ１０の識別情報を取得して、ＡＦセンサを備えるマウントアダプタであるか否かを判定することができる。あるいは、カメラ制御部１００は、マウントアダプタ制御部３０からＡＦセンサ情報（ＡＦセンサの有無、ＡＦエリア等）を取得して、ＭＡ−ＡＦを選択可能か否かを判定してもよい。カメラ制御部１００は、ＭＡ−ＡＦを選択可能と判定した場合、ステップＳ１２にすすみ、ＭＡ−ＡＦを選択できないと判定した場合、ステップＳ１６にすすむ。なお、カメラ制御部１００は、初期設定でＭＡ−ＡＦの選択を禁止し、ＡＦセンサを備えるマウントアダプタの装着検出により、ＭＡ−ＡＦを選択可能としてもよい。
【００６４】
［ステップＳ１２］カメラ制御部１００は、測距ポイントの選択を受け付けて、ローカルな測距ポイントが選択された場合は、ステップＳ１３にすすむ。一方、カメラ制御部１００は、ワイドな測距ポイントが選択された場合は、ステップＳ１４にすすむ。このように、カメラ制御部１００は、ローカルな測距ポイントが選択された場合は、ＭＡ−ＡＦによる焦点検出を優先し、ワイドな測距ポイントが選択された場合は、ＩＭＧ−ＡＦによる焦点検出を優先する。
【００６５】
［ステップＳ１３］カメラ制御部１００は、選択されたローカルな測距ポイントがＭＡ−ＡＦに対応するか否かを判定する。たとえば、選択されたローカルな測距ポイントにＡＦエリア５１がある場合、カメラ制御部１００は、選択されたローカルな測距ポイントがＭＡ−ＡＦに対応すると判定する。また、選択されたローカルな測距ポイントにＡＦエリア５１がない場合、すなわち選択されたローカルな測距ポイントにＡＦエリア５２のみがある場合、カメラ制御部１００は、選択されたローカルな測距ポイントがＭＡ−ＡＦに対応しないと判定する。カメラ制御部１００は、選択されたローカルな測距ポイントがＭＡ−ＡＦに対応しないと判定した場合、ステップＳ１６にすすみ、対応すると判定した場合、ステップＳ１４にすすむ。
【００６６】
［ステップＳ１４］カメラ制御部１００は、焦点検出条件がＩＭＧ−ＡＦ（ＩＭＧ−ＡＦ検出部２４）に対応するか否かを判定する。カメラ制御部１００は、焦点検出条件がＩＭＧ−ＡＦに対応すると判定した場合、ステップＳ１６にすすみ、対応しないと判定した場合、ステップＳ１５にすすむ。カメラ制御部１００は、原則として、ＩＭＧ−ＡＦでの焦点検出を選択するが、焦点検出条件が適さない場合は、ＭＡ−ＡＦでの焦点検出を選択する。たとえば、カメラ制御部１００は、ＩＭＧ−ＡＦでの焦点検出精度が低下する、被写体が大きくぼけているとき、低輝度のときなどに、ＭＡ−ＡＦでの焦点検出を選択する。なお、カメラ制御部１００は、ＩＭＧ−ＡＦの焦点検出精度が低下する焦点検出条件を検出した場合、ＩＭＧ−ＡＦの選択を禁止してもよい。
【００６７】
［ステップＳ１５］カメラ制御部１００は、ＭＡ−ＡＦでの焦点検出を選択する。
【００６８】
［ステップＳ１６］カメラ制御部１００は、ＩＭＧ−ＡＦでの焦点検出を選択する。
【００６９】
［ステップＳ１７］カメラ制御部１００は、複数のＡＦエリア５１、または複数のＡＦエリア５２から焦点検出に用いるＡＦエリアを選択する。たとえば、カメラ制御部１００は、最も調節距離の短いＡＦエリアを選択する。
【００７０】
［ステップＳ１８］カメラ制御部１００は、選択したＡＦエリアを用いて焦点検出をおこない（焦点調節動作処理の実行）、焦点調節処理を終了する。
【００７１】
このように、カメラ制御部１００は、ＭＡ−ＡＦについて焦点検出動作可能であるか否かの判定によるＩＭＧ−ＡＦの第一段の選択と、焦点検出条件に応じたＭＡ−ＡＦあるいはＩＭＧ−ＡＦの第二段の選択の二段階の選択制御をおこなう。
【００７２】
これにより、撮像システム１は、ＭＡ−ＡＦとＩＭＧ−ＡＦの２つの位相差方式の焦点検出機能のうち、より好適な位相差方式により焦点検出をおこなうことができる。
【００７３】
［第２の実施形態］
次に、第２の実施形態の焦点調節処理について図７を用いて説明する。図７は、第２の実施形態の焦点調節処理のフローチャートである。カメラ制御部１００は、撮影時に焦点調節処理を実行する。第２の実施形態は、第１の実施形態の焦点調節処理が焦点検出条件に応じたＭＡ−ＡＦあるいはＩＭＧ−ＡＦの選択をおこなっていたところ、ＭＡ−ＡＦあるいはＩＭＧ−ＡＦの優先設定がされて選択をおこなう点で相違する。第２の実施形態の詳細な説明では、撮像システムの全体構成について、断りがない限り第１の実施形態と同じものであるとして説明を省略する。
【００７４】
［ステップＳ２１］カメラ制御部１００は、ＭＡ−ＡＦあるいはＩＭＧ−ＡＦの優先条件を取得する。優先条件は、あらかじめＭＡ−ＡＦあるいはＩＭＧ−ＡＦを優先するかが設定され、記憶部２６に記憶されている。優先条件は、撮影モードなど、条件ごとに設定されてもよい。なお、カメラ制御部１００は、マウントアダプタ１０（ＡＦセンサユニット１３）を検出しない場合、優先条件にかかわらず、ＭＡ−ＡＦを選択しない。
【００７５】
［ステップＳ２２］カメラ制御部１００は、ＭＡ−ＡＦ優先か否かを判定する。カメラ制御部１００は、ＭＡ−ＡＦ優先と判定した場合、ステップＳ２５にすすみ、ＭＡ−ＡＦ優先と判定しない場合、ステップＳ２３にすすむ。
【００７６】
［ステップＳ２３］カメラ制御部１００は、ＭＡ−ＡＦを無効化する。
【００７７】
［ステップＳ２４］カメラ制御部１００は、ＩＭＧ−ＡＦでの焦点検出を選択する。
【００７８】
［ステップＳ２５］カメラ制御部１００は、ＩＭＧ−ＡＦを無効化する。
【００７９】
［ステップＳ２６］カメラ制御部１００は、ＭＡ−ＡＦでの焦点検出を選択する。
【００８０】
以降、第１の実施形態と同様に、ステップＳ１７、ステップＳ１８を実行し、焦点調節処理を終了する。
【００８１】
これにより、撮像システム１は、制御シーケンスの簡素化をおこなうことができる。また、撮像システム１は、利用者にとって、ＭＡ−ＡＦあるいはＩＭＧ−ＡＦのいずれによる焦点調節がおこなわれるのかわかりやすい。
【００８２】
［第３の実施形態］
次に、第３の実施形態の焦点調節処理について図８を用いて説明する。図８は、第３の実施形態の焦点調節処理のフローチャートである。カメラ制御部１００は、撮影時に焦点調節処理を実行する。第３の実施形態は、ＭＡ−ＡＦあるいはＩＭＧ−ＡＦのいずれによる焦点調節をおこなうかの選択操作を受け付ける点で、第１の実施形態と相違する。第２の実施形態の詳細な説明では、撮像システムの全体構成について、断りがない限り第１の実施形態と同じものであるとして説明を省略する。
【００８３】
［ステップＳ３１］カメラ制御部１００は、ＭＡ−ＡＦを選択可能か否か判定をおこなう。ＭＡ−ＡＦを選択可能か否かの判定は、マウントアダプタ１０の装着によって検出することができる。このとき、カメラ制御部１００は、マウントアダプタ制御部３０からマウントアダプタ１０の識別情報を取得して、ＡＦセンサを備えるマウントアダプタであるか否かを判定することができる。あるいは、カメラ制御部１００は、マウントアダプタ制御部３０からＡＦセンサ情報（ＡＦセンサの有無、ＡＦエリア等）を取得して、ＭＡ−ＡＦを選択可能か否かを判定してもよい。カメラ制御部１００は、ＭＡ−ＡＦを選択可能と判定した場合、ステップＳ３２にすすみ、ＭＡ−ＡＦを選択できないと判定した場合、ステップＳ１６にすすむ。
【００８４】
［ステップＳ３２］カメラ制御部１００は、ＭＡ−ＡＦあるいはＩＭＧ−ＡＦのいずれによる焦点調節をおこなうかのＡＦ選択操作を受け付ける。なお、利用者は、操作入力部２５、または操作入力部３３により、ＡＦ選択操作をおこなうことができる。
【００８５】
［ステップＳ３３］カメラ制御部１００は、ＭＡ−ＡＦの選択操作を受け付けた場合、ステップＳ１５にすすみ、ＭＡ−ＡＦの選択操作を受け付けていない場合、ステップＳ３４にすすむ。
【００８６】
［ステップＳ３４］カメラ制御部１００は、ＩＭＧ−ＡＦの選択操作を受け付けた場合、ステップＳ１６にすすむ。一方、カメラ制御部１００は、ＩＭＧ−ＡＦの選択操作を受け付けていない場合、すなわち、ＭＡ−ＡＦあるいはＩＭＧ−ＡＦのいずれの選択も受け付けない場合、ステップＳ１２にすすみ、焦点検出条件に応じた選択をおこなう。
【００８７】
以降、第１の実施形態と同様に、ステップＳ１２からステップＳ１８を実行し、焦点調節処理を終了する。
【００８８】
これにより、撮像システム１は、利用者にとって、ＭＡ−ＡＦあるいはＩＭＧ−ＡＦのいずれによる焦点調節がおこなわれるのかわかりやすい。また、撮像システム１は、利用者が選択をしなくとも、ＭＡ−ＡＦとＩＭＧ−ＡＦの２つの位相差方式の焦点検出機能のうち、より好適な位相差方式により焦点検出をおこなうことができる。
【００８９】
［第４の実施形態］
次に、第４の実施形態の記憶部２６が記憶するＡＦエリア対応テーブルについて図９を用いて説明する。図９は、第４の実施形態のＡＦエリア対応テーブルを示す図である。第４の実施形態の詳細な説明では、撮像システムの全体構成について、断りがない限り第１の実施形態と同じものであるとして説明を省略する。
【００９０】
記憶部２６は、ＡＦエリア対応テーブル６１を記憶する。ＡＦエリア対応テーブル６１は、ＧＵＩ（Graphical User Interface）のＡＦエリア（ＧＵＩ ＡＦエリア）と、ＡＦセンサユニット１３のＡＦエリア（ＡＦセンサＡＦエリア）５１と、撮像素子５のＡＦエリア（イメージセンサＡＦエリア）５２との対応関係を表す。ここで、ＧＵＩのＡＦエリアは、使用者に測距ポイントを選択させる際に、背面ＬＣＤ４に表示するＡＦエリアである。ＧＵＩのＡＦエリアは、撮像範囲を碁盤目状に分割して、各マスを識別可能に定義される。
【００９１】
たとえば、ＧＵＩのＡＦエリアであるＧＵＩ１は、ＡＦセンサユニット１３のＡＦエリアと対応せず、撮像素子５のＡＦエリアであるＩＭＧ１、ＩＭＧ２、…と対応する。また、ＧＵＩのＡＦエリアであるＧＵＩ２５は、ＡＦセンサユニット１３のＡＦエリアであるＭＡ１と対応し、かつ、撮像素子５のＡＦエリアであるＩＭＧ５１、ＩＭＧ５２と対応する。
【００９２】
これにより、撮像素子５のＡＦエリア５２と、ＡＦセンサユニット１３のＡＦエリア５１を直接に対応させなくとも、ＧＵＩのＡＦエリアを介して間接的に対応させることができる。これにより、撮像システム１は、撮像装置２とマウントアダプタ１０の自由な組み合わせに柔軟に対応することができる。
【００９３】
［第５の実施形態］
次に、第５の実施形態の撮像システムの全体構成について図１０を用いて説明する。図１０は、第５の実施形態の撮像システムの構成例を示す図である。第５の実施形態の詳細な説明では、撮像システムの全体構成について、断りがない限り第１の実施形態と同じものであるとして説明を省略する。
【００９４】
撮像システム７１は、撮像装置（カメラボディ）７２と、レンズ（交換レンズ）７を備える。撮像装置７２は、デジタル一眼レフカメラのカメラボディである。ただし、撮像装置７２は、レフレックスミラーに代えて、薄膜ミラー（ペリクルミラー）７４を備える。
【００９５】
撮像装置７２は、シャッタ３、背面ＬＣＤ４、撮像素子５、マウント６、ＡＦセンサユニット７３、薄膜ミラー７４、ＥＶＦ７５、その他に図示しない制御装置やバッテリ、レリーズボタン等の各種操作部、各種センサなどを備える。
【００９６】
ＡＦセンサユニット（焦点検出部）７３は、コンデンサレンズ、ＩＲカットフィルタ、絞りマスク、セパレータレンズ等の光学部材を含んで構成され、被写体から導かれた光をＡＦセンサに入射させて位相差方式の焦点検出をおこなう。ＡＦセンサユニット７３は、たとえば、測距情報などの焦点調節に用いる焦点検出情報を出力する。
【００９７】
薄膜ミラー７４は、被写体側（レンズ７側）から入射する光Ｌ１を、撮像素子５に入射する光Ｌ２と、ＡＦセンサユニット７３に入射する光Ｌ３とに分割する光学装置である。薄膜ミラー７４は、固定式の半透過型の薄膜ミラーであって、たとえば、入射する光Ｌ１の約７０％を撮像素子５に入射する光Ｌ２に、入射する光Ｌ１の約３０％をＡＦセンサユニット７３に入射する光Ｌ３に分割する。薄膜ミラー７４が入射光を分割することにより、撮像装置７２は、ＡＦセンサユニット７３による焦点検出と、撮像素子５による焦点検出とを、同一の被写体について同時におこなうことができる。
【００９８】
ＥＶＦ７５は、撮像素子５が出力する撮像信号（画像）にもとづいて表示出力をおこなう。
【００９９】
これにより、撮像システム７１は、ＡＦセンサユニット７３による位相差方式の焦点検出と、撮像素子５による位相差方式の焦点検出とをおこなうことができる。
【０１００】
なお、上記の処理機能は、コンピュータによって実現することができる。その場合、各装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【０１０１】
プログラムを流通させる場合には、たとえば、そのプログラムが記録されたＤＶＤ（Digital Versatile Disc）、ＣＤ−ＲＯＭ（Compact Disc Read Only Memory）などの可搬型記録媒体が販売される。また、プログラムをサーバコンピュータの記憶装置に格納しておき、ネットワークを介して、サーバコンピュータから他のコンピュータにそのプログラムを転送することもできる。
【０１０２】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。
【０１０３】
なお、上述の実施の形態は、実施の形態の要旨を逸脱しない範囲内において種々の変更を加えることができる。
【０１０４】
さらに、上述の実施の形態は、多数の変形、変更が当業者にとって可能であり、説明した正確な構成および応用例に限定されるものではない。
【符号の説明】
【０１０５】
１，７１……撮像システム、２，７２……撮像装置、３……シャッタ、４……背面ＬＣＤ、５……撮像素子、６，８，１１，１２……マウント、７……レンズ、１０……マウントアダプタ、１３，７３……ＡＦセンサユニット、１４，７４……薄膜ミラー、１５……鏡胴、２１……駆動部、２２……表示部、２３……撮像部、２４……ＩＭＧ−ＡＦ検出部、２５……操作入力部、２６……記憶部、３０……マウントアダプタ制御部、３１……表示部、３２……ＭＡ−ＡＦ検出部、３３……操作入力部、３４……記憶部、３５……ＡＦ機構部、３６……駆動力伝達部、４０……レンズ制御部、４１……レンズ駆動部、５０……ＡＦセンサ、５１，５２……ＡＦエリア、５３……重ね合わせイメージ、５４……非共通エリア、５５……共通エリア、６０，６１……ＡＦエリア対応テーブル、１００……カメラ制御部、１０１……ＣＰＵ、１０２……ＲＡＭ、１０３……ＲＯＭ、１０４……通信インタフェース、１０５……グラフィック処理装置、１０６……入出力インタフェース、１０７……バス
【図１】
2012137600.tif 000003
【図２】
2012137600.tif 000004
【図３】
2012137600.tif 000005
【図４】
2012137600.tif 000006
【図５】
2012137600.tif 000007
【図６】
2012137600.tif 000008
【図７】
2012137600.tif 000009
【図８】
2012137600.tif 000010
【図９】
2012137600.tif 000011
【図１０】
2012137600.tif 000012